(57)【要約】【課題】広い帯域において放射利得の低下を防ぐことができるダイポールアンテナを提供する。【解決手段】ダイポールアンテナは、内側導体及び外側導体を含む信号線の前記内側導体が接続される第１接続部と、前記第１接続部から二股状に延びる第１及び第２放射部を有する第１放射素子と、前記外側導体が接続される第２接続部と、前記第１放射部側に形成され、前記第２接続部から延びる第３放射部と、前記第２放射部側に形成され、前記第２接続部から延びる第４放射部と、を有する第２放射素子と、を備え、前記第３放射部は先端部に向かうにつれて、前記第１放射部側の前記第１放射素子と前記第３放射部側の第２放射素子との第１間隔が広くなる形状を有し、前記第４放射部は先端部に向かうにつれて、前記第２放射部側の前記第１放射素子と前記第４放射部側の第２放射素子の第２間隔が広くなる形状を有していること、を特徴とする。【選択図】図５
2019022108.tif 000002
【特許請求の範囲】
【請求項１】
内側導体及び外側導体を含む信号線の前記内側導体が接続される第１接続部と、前記第１接続部から二股状に延びる第１及び第２放射部を有する第１放射素子と、
前記外側導体が接続される第２接続部と、前記第１放射部側に形成され、前記第２接続部から延びる第３放射部と、前記第２放射部側に形成され、前記第２接続部から延びる第４放射部と、を有する第２放射素子と、
を備え、
前記第３放射部は先端部に向かうにつれて、前記第１放射部側の前記第１放射素子と前記第３放射部側の第２放射素子との第１間隔が広くなる形状を有し、
前記第４放射部は先端部に向かうにつれて、前記第２放射部側の前記第１放射素子と前記第４放射部側の第２放射素子の第２間隔が広くなる形状を有していること、
を特徴とするダイポールアンテナ。
【請求項２】
請求項１に記載のダイポールアンテナであって、
前記第２放射素子は、前記第３放射部の先端部から延びて、延びる方向にいくにつれて前記第１間隔を狭くする第５放射部を更に有すること、
を特徴とするダイポールアンテナ。
【請求項３】
請求項２に記載のダイポールアンテナであって、
前記第５放射部は、先端部の幅が前記第３放射部側の端部の幅よりも狭い形状を有していること、
を特徴とするダイポールアンテナ。
【請求項４】
請求項１〜請求項３の何れか一項に記載のダイポールアンテナであって、
前記第１放射部の端部から、前記第２放射素子とは反対側に延びる第６放射部を更に含むこと、
を特徴とするダイポールアンテナ。
【請求項５】
請求項１〜請求項４の何れか一項に記載のダイポールアンテナであって、
前記第１接続部において前記第２接続部に対向する第１辺と、前記第２接続部において前記第１接続部に対向する第２辺とは、略平行であること、
を特徴とするダイポールアンテナ。
【発明の詳細な説明】
【技術分野】
【０００１】
本発明は、ダイポールアンテナに関する。
【背景技術】
【０００２】
無線システムとしては、非常に広い帯域幅にわたって電力を拡散させ、高速通信を可能とする超広帯域無線システムが知られている。また、超広帯域（ＵＷＢ：Ultra Wide Band）の無線用のアンテナとして、ダイポールアンテナが用いられることがある（例えば、特許文献１参照）。
【先行技術文献】
【特許文献】
【０００３】
【特許文献１】特開２０１０−１７８０００号公報
【発明の概要】
【発明が解決しようとする課題】
【０００４】
ところで、一般的なアンテナでは、仕様帯域における電圧定在波比（ＶＳＷＲ：Voltage Standing Wave Ratio）の値を、２以下とすることが求められている。例えば、特許文献１に開示されたダイポールアンテナは、仕様帯域において良好なＶＳＷＲ特性を有する。
【０００５】
しかしながら、良好なＶＳＷＲ特性を有するアンテナであっても、仕様帯域のうち一部の周波数帯において、放射利得が低下してしまうことがある。
【０００６】
そこで本発明の目的は、広い帯域において放射利得の低下を防ぐことができるダイポールアンテナを提供することにある。
【課題を解決するための手段】
【０００７】
上記課題を解決する本発明に係るダイポールアンテナは、内側導体及び外側導体を含む信号線の前記内側導体が接続される第１接続部と、前記第１接続部から二股状に延びる第１及び第２放射部を有する第１放射素子と、前記外側導体が接続される第２接続部と、前記第１放射部側に形成され、前記第２接続部から延びる第３放射部と、前記第２放射部側に形成され、前記第２接続部から延びる第４放射部と、を有する第２放射素子と、を備え、前記第３放射部は先端部に向かうにつれて、前記第１放射部側の前記第１放射素子と前記第３放射部側の第２放射素子との第１間隔が広くなる形状を有し、前記第４放射部は先端部に向かうにつれて、前記第２放射部側の前記第１放射素子と前記第４放射部側の第２放射素子の第２間隔が広くなる形状を有していること、を特徴とする。
【発明の効果】
【０００８】
本発明によれば、広い帯域において放射利得の低下を防ぐことができるダイポールアンテナを提供することができる。
【図面の簡単な説明】
【０００９】
【図１】アンテナ１０の構成を示す図である。
【図２】アンテナ１０の表面電流の大きさを示す図である。
【図３】アンテナ１０のｙ−ｚ面における放射特性を示す図である。
【図４】アンテナ１０の仕様帯域における放射特性を示す図である。
【図５】アンテナ１５の構成を示す図である。
【図６】アンテナ１５の表面電流の大きさを示す図である。
【図７】アンテナ１５のｙ−ｚ面における放射特性を示す図である。
【図８】アンテナ１５の仕様帯域における放射特性を示す図である。
【発明を実施するための形態】
【００１０】
−−−アンテナ１０−−−
図１は、アンテナ１０の構成を示す平面図である。アンテナ１０は、例えば５〜６ＧＨｚ（仕様帯域）の電波を送受信する際に用いられるダイポールアンテナであり、アンテナ基板２０、放射素子２１，２２を含んで構成される。なお、図１には、方向を表す補助線としてｘ軸、ｙ軸及びｚ軸を図示している。これらｘ軸、ｙ軸及びｚ軸は互いに直交する。そして、図１において、ｘ軸は、アンテナ基板２０の短手方向に沿った軸であり、ｙ軸は、アンテナ基板２０の長手方向に沿った軸であり、ｚ軸は、アンテナ基板２０の表面に対し垂直方向に沿った軸である。
【００１１】
アンテナ基板２０は、多層プリント基板であり、電波の送受信を行う放射素子２１，２２が表面にパターン形成されている。放射素子２１は、図示しない信号線Ｘ（ケーブルＸ）の外側導体Ｓ１（外皮側の導体）が接続され、放射素子２２は、信号線Ｘの芯線Ｓ２（内側導体）が接続される。そして、放射素子２１と、放射素子２２との間には、隙間が形成されている。
【００１２】
放射素子２１は、長方形状の金属箔のパターンである。放射素子２１は、左右対称のパターンであり、放射素子２１の中心線は、アンテナ基板２０の短手方向の辺の中心線と一致する。放射素子２１には、放射素子２１の中心線上、かつ、辺３０の内側に、給電点Ｐ１が設けられている。なお、辺３０は、放射素子２１の２つの短辺のうち、放射素子２２側（放射素子２２に対向する側）の辺である。また、給電点Ｐ１の位置は、放射素子２１及び信号線Ｘの外側導体Ｓ１のインピーダンス整合がとられるよう、定められている。
【００１３】
放射素子２２は、お椀型形状の金属箔のパターンであり、放射素子２１の近くに凸部４０が設けられている。凸部４０は、アンテナ１０から放射される電波の指向性を改善しつつ、放射素子２２のインピーダンスの急激な変化を抑制するために設けられた領域である。ここで、凸部４０の放射素子２１に対向する辺３５と、辺３０とは、略平行になるよう、凸部４０は形成されている。また、放射素子２２は、左右対称のパターンであり、放射素子２２の中心線は、アンテナ基板２０の短手方向の辺の中心線と一致する。そして、放射素子２２には、放射素子２２の中心線上、かつ、辺３５の内側に、信号線Ｘの芯線Ｓ２が接続される給電点Ｐ２が設けられている。なお、給電点Ｐ２の位置は、放射素子２２及び芯線Ｓ２のインピーダンス整合がとられるよう、定められている。
【００１４】
放射素子２２の形状は、放射素子２１，２２に流れる電流（アンテナ１０の電流）が、広い周波数帯域で共振するよう定められている。ここで、アンテナ１０の電流の共振周波数は、給電点Ｐ１，Ｐ２からの位置（距離）に応じたインダクタンスと、放射素子２１，２２の間隔に応じた容量と、に基づいて定まる。そして、放射素子２１，２２では、給電点Ｐ１，Ｐ２から離れるほど、インダクタンスが増加する。このため、アンテナ１０の電流が広い周波数帯域で共振するには、給電点Ｐ１，Ｐ２から離れるにつれて、放射素子２１，２２の間の容量を小さくする必要がある。つまり、給電点Ｐ１，Ｐ２から離れるにつれて、放射素子２１，２２の間隔を広くする必要がある。
【００１５】
そこで、アンテナ１０では、凸部４０から延びる辺３６を、凸部４０から離れるにつれて、放射素子２１，２２の間隔が広くなるよう、緩やかに湾曲させている。なお、凸部４０から延びる辺３７も同様に、凸部４０から離れるにつれて、放射素子２１，２２の間隔が広くなるよう、緩やかに湾曲させている。
【００１６】
−−−アンテナ１０のシミュレーション結果−−−
図２は、アンテナ１０の表面に流れる５ＧＨｚの電流の大きさを示す図である。なお、図２では、５ＧＨｚの電流の大きさの計算結果を、模様（色及びハッチング）で表現している。したがって、同じ値の電流が流れている場所では、模様が同じになる。図２から明らかなように、放射素子２１の一部の領域では、模様が大きく変化している。なお、図２では、電流値は、１５段階で表示されており、最も大きい電流値を示す模様から４段階目に大きい電流値を示す模様までは、ハッチングが付されている。そして、ハッチングが付されていない１１段階の電流値では、色が濃くなるにつれて、電流値が小さくなる。
【００１７】
具体的には、領域２００，２１０では、電流値が小さくなり、放射素子２１の中心線付近の領域２２０では、電流値が大きくなる。なお、図２は、５ＧＨｚの電流値を示す図であるが、５〜６ＧＨｚでも同様の傾向がみられる。このように、アンテナ１０の電波が広い周波数範囲（５ＧＨｚ〜６ＧＨｚ）で均一となるよう、放射素子２１，２２の形状を定めた場合であっても、放射素子２１の上面に流れる電流の電流値のバラツキが大きくなってしまうことがある。
【００１８】
図３は、アンテナ１０のｙ−ｚ面における放射特性を示す図である。図３では、アンテナ１０が、５ＧＨｚ，５．５ＧＨｚ，６ＧＨｚと３つの異なる周波数の電波を放射する際の放射特性が示されている。アンテナ１０は、５〜６ＧＨｚの周波数帯では、特に、９０°、２７０°における放射特性が他の角度に比べ、大きく低下している。このように、放射素子２１，２２電流の値のバラツキが大きいと、ｙ−ｚ面の放射特性が悪化することがある。
【００１９】
また、図４は、アンテナ１０の仕様帯域の放射利得を示す図である。図４に示すように、アンテナ１０は５ＧＨｚ〜６ＧＨｚの範囲において、５．４ＧＨｚ付近で、放射利得が他の周波数帯と比較して低下している。
【００２０】
−−−アンテナ１５−−−
図５は、アンテナ１５の構成を示す平面図である。アンテナ１５は、広い帯域で良い放射特性を得るために、アンテナ１０を改良したものである。
【００２１】
アンテナ１５は、例えば５ＧＨｚ〜６ＧＨｚ（仕様帯域）の電波を送受信する際に用いられるダイポールアンテナであり、アンテナ基板２５、放射素子２６，２７を含んで構成される。なお、図５においても、図１と同様のｘ軸、ｙ軸、ｚ軸が図示されている。ｘ軸は、アンテナ基板２５の短手方向に沿った軸であり、ｙ軸は、アンテナ基板２５の長手方向に沿った軸であり、ｚ軸は、アンテナ基板２５の表面に対し垂直方向に沿った軸である。また、ｘ軸において、紙面の左から右への方向を＋ｘ方向とし、ｙ軸において、紙面の下から上への方向を＋ｙ方向とし、ｚ軸において、紙面のうらからおもての方向を＋ｚ方向とする。
【００２２】
アンテナ基板２５は、多層プリント基板であり、電波の送受信を行う放射素子２６，２７が表面にパターン形成されている。
【００２３】
放射素子２６（第１放射素子）は、信号線Ｙ（不図示）の芯線Ｓ３（内側導体）が接続される素子であり、略Ｙ字形状の金属箔で形成される。放射素子２６は、芯線Ｓ３が接続される接続部６０、放射部６１〜６３を含む。なお、放射部６３を除く放射素子２６は、左右対称のパターンであり、放射素子２６の中心線は、アンテナ基板２５の短手方向の辺の中心線と一致する。
【００２４】
ところで、一般的なダイポールアンテナでは、２つの放射素子のうち、給電点を始点とし、給電点から最も遠いパターンの端の点を終点とした際の、始点から終点までのパターン上の距離が長い方の素子に対し、信号線の外側導体が接続される。例えば、アンテナ１０でも、放射素子２１に外側導体が接続されている。しかしながら、アンテナ１５では、本来、信号線の外側導体が接続される放射素子２６に対し、芯線Ｓ３が接続される。つまり、アンテナ１５では、一般的な低周波側の放射素子に、芯線Ｓ３が接続され、高周波側の放射素子に、外側導体が接続される構成となっている。
【００２５】
接続部６０（第１接続部）は、Ｙ字形状の放射素子２６において、凸型形状をした先端部分の領域である。接続部６０は、アンテナ１５から放射される電波の指向性を改善しつつ、放射素子２６のインピーダンスの急激な変化を抑制するために、後述する辺７０を長辺とし、給電点Ｑ１を内部に含める長方形状となっている。
【００２６】
また、接続部６０には、放射素子２６の中心線上、かつ、接続部６０の先端の辺７０の内側に、芯線Ｓ３が接続される給電点Ｑ１が設けられている。なお、給電点Ｑ１の位置は、放射素子２６及び芯線Ｓ３のインピーダンス整合がとられるよう、定められている。
【００２７】
放射部６１（第１放射部）は、接続部６０から二股状に延びた２つの部分のうち、＋ｘ方向に緩やかに湾曲しつつ、アンテナ基板２５の＋ｘ方向のｙ軸に沿った辺の近くまで延びる。なお、放射部６１において、二股状に分かれた箇所１００（放射部６１，６２が分岐している箇所）から延びる辺を、辺７１とする。
【００２８】
放射部６２（第２放射部）は、接続部６０から二股状に延びた２つの部分のうち、−ｘ方向に緩やかに湾曲しつつ、アンテナ基板２５の−ｘ方向のｙ軸に沿った辺の近くまで延びる。なお、放射部６２において、二股状に分かれた箇所１００から延びる辺を、辺７２とする。
【００２９】
放射部６３（第６放射部）は、放射部６１の端部から、アンテナ基板２５の＋ｙ方向の端部に向かって延びるパターンである。具体的には、放射部６３は、放射素子２６の辺７１の先端部（辺７１において箇所１００とは逆方向の先端部）から、放射素子２７とは反対側に延びたパターンである。なお、接続部６０及び放射部６１〜６３は、一体形成されたパターンであるが、図６では便宜上、放射部６１及び放射部６３を区別する線が描かれている。
【００３０】
放射素子２７（第２放射素子）は、信号線Ｙの外側導体Ｓ４（外皮側の導体）が接続される放射素子である。また、放射素子２７は、接続部６０に対応する凹部が形成された、略凹型曲線形状の金属箔のパターンであり、接続部８０、放射部８１〜８３を含む。なお、放射部８３を除く放射素子２７は、略左右対称のパターンからなり、放射素子２７の中心線は、アンテナ基板２５の短手方向の辺の中心線と一致する。なお、接続部８０、放射部８１〜８３は一体形成されているが、便宜上、放射部８１，８３の間に、点Ｄ２から横線（実線）が描かれている。点Ｄ２からの線は、放射部８１，８３の関係の理解を容易にするための便宜上の線である。このため、放射部８１，８３の間は、辺９１が伸びて区別されていても良い。このような場合には、放射部８３を除く放射素子２７は、左右対称となる。
【００３１】
接続部８０（第２接続部）には、信号線Ｙの外側導体Ｓ４が接続される。また、接続部８０は、アンテナ１５から放射される電波の指向性を改善しつつ、放射素子２７のインピーダンスの急激な変化を抑制するために設けられた領域である。ここでは、放射素子２６における接続部６０の先端の辺７０（第１辺）と、接続部８０において接続部６０に対向する辺９０（第２辺）とが、略平行になるよう、放射素子２７の凹み部分を形成する辺９０は、直線となっている。
【００３２】
また、接続部８０には、放射素子２７の中心線上、かつ、辺９０の内側に、信号線Ｙの外側導体Ｓ４が接続される給電点Ｑ２が設けられている。なお、給電点Ｑ２の位置は、放射素子２７及び外側導体Ｓ４のインピーダンス整合がとられるよう、定められている。
【００３３】
放射部８１（第３放射部）は、放射部６１側（＋ｘ方向）に向かって、接続部８０から延びているパターンであり、放射部８２（第４放射部）は、放射部６２側（−ｘ方向）に向かって、接続部８０から延びるパターンである。
【００３４】
放射部８１は、放射部６１側の放射素子２６と、放射部８１側の放射素子２７の間隔Ｗ（第１間隔）が放射部８１の先端部（＋ｙ方向の端部）に向かうにつれて広くなるよう、先端部に向かうにつれて細くなっている。
【００３５】
放射部８２は、放射部６２側の放射素子２６と、放射部８２側の放射素子２７の間隔（第２間隔）が放射部８２の先端部（＋ｙ方向の端部）に向かうにつれて広くなるよう、先端部に向かうにつれて細くなっている。また、放射部８１，８２は、略扇型形状をしている。そして、放射素子２６の辺７３は、扇型形状の放射部８１の弧に相当する辺９１の一部（湾曲部）に略沿って曲がっている。同様に、放射素子２６の辺７４は、扇型形状の放射部８２の弧に相当する辺９２に略沿って曲がっている。さらに、辺７３は、辺７０の一端（＋ｘ方向の端部）からアンテナ基板２５の＋ｘ方向の長辺に向かって延び、辺７４は、辺７０の他端（−ｘ方向の端部）からアンテナ基板２５の−ｘ方向の長辺に向かって延びている。
【００３６】
放射部８３（第５放射部）は、放射部８１の先端部から＋ｙ方向に延びて、放射部８３の先端部（放射部８１と反対側の端部）に向かうにつれて間隔Ｗを狭くするパターンである（放射部８３は放射部６１と接触しない）。なお、放射部８３の先端部の幅は、根元（放射部８１側の端部）の幅よりも狭くなっている。
【００３７】
ここで、アンテナ１５の形状の詳細を説明する。アンテナ１５の形状は、放射素子２６，２７に流れる電流（アンテナ１５の電流）が、広い周波数帯域（例えば、５ＧＨｚ〜６ＧＨｚ）で共振するよう定められている。アンテナ１５の電流の共振周波数は、給電点Ｑ１，Ｑ２からの距離に応じたインダクタンスと、放射素子２６，２７の間隔Ｗに応じた容量と、に基づいて定まる。なお、ここでは、辺７３，９１の間隔を、放射素子２６，２７の間隔Ｗとして描いているが、辺７４，９２の間隔も同様である。
【００３８】
放射素子２６，２７の任意の位置によるインダクタンスは、給電点Ｑ１，Ｑ２から離れるほど増加する。このため、アンテナ１５の電流を広い周波数帯域で共振させるには、給電点Ｑ１，Ｑ２から離れるにつれて、放射素子２６，２７の間の容量を小さくする必要がある。つまり、給電点Ｑ１，Ｑ２から離れるにつれて、放射素子２１，２２の間隔Ｗを広くする必要がある。
【００３９】
例えば、本実施形態では、給電点Ｑ１，Ｑ２から点Ｃ１，Ｃ２までが６ＧＨｚに相当するインダクタンス（実効長）である場合、点Ｃ１及び点Ｃ２の間隔Ｗが、６ＧＨｚに対応する容量値となるよう、放射部８１の形状（辺９１の一部（湾曲部）の曲がり具合）を定めている。同様に、点Ｄ１，Ｄ２が５ＧＨｚのインダクタンスに相当する場合、点Ｄ１及び点Ｄ２の間隔Ｗが、５ＧＨｚに対応する容量値となるよう、放射部８１の形状を定めている。このように、アンテナ１５では、放射部８１の辺９１の一部（湾曲部）を緩やかに湾曲させ、給電点Ｑ２からの距離が長くなるにつれて、放射素子２６，２７の間隔Ｗを広くしている。なお、放射部８２に関しても、放射部８１と同様である。
【００４０】
ところで、５ＧＨｚ〜６ＧＨｚの帯域において、良好な周波数特性を得るためには、例えば、５ＧＨｚより低い周波数において共振点を設け、５ＧＨｚでの周波数特性を安定化させることが好ましい。そこで、アンテナ１５においては、５ＧＨｚより低い周波数（例えば、３ＧＨｚ，４ＧＨｚ）において共振点が発生するよう、放射部８３を設けている。
【００４１】
具体的には、本実施形態では、点Ｅ１，Ｅ２で定まるインダクタンスと、点Ｅ１，Ｅ２の間隔Ｗで定まる容量とで、４ＧＨｚの共振点が発生するよう、放射部８１の先端部から延びる放射部８３（パターン）を設けている。さらに、ここでは、点Ｆ１，Ｆ２で定まるインダクタンスと、点Ｆ１，Ｆ２の間隔Ｗで定まる容量とで、３ＧＨｚの共振点が発生するよう、放射部８１から延びる放射部８３の形状を変化させている。具体的には、放射部８３の先端部の幅を、根元（放射部８１側の端部）の幅よりも狭くし、点Ｆ１，Ｆ２の間隔Ｗを調整することにより、３ＧＨｚの共振点を生成している。なお、図５において、点Ｃ１を基準とする、点Ｄ１，Ｅ１，Ｆ１までのそれぞれの長さと、点Ｃ２を基準とする、点Ｄ２，Ｅ２，Ｆ２までのそれぞれの長さとは等しくなっている。
【００４２】
−−−アンテナ１５のシミュレーション結果−−−
図６は、アンテナ１５の表面に流れる５ＧＨｚの電流の大きさを示す図である。なお、図６では、図２と同様に、５ＧＨｚの電流の大きさの計算結果を、模様（色及びハッチング）で表現している。したがって、同じ値の電流が流れている場所では、模様が同じになる。ここで、図２で示したアンテナ１０の場合と比較すると、アンテナ１５では、全体的にハッチングが付された領域や、濃い色を示す領域が少なく、模様のムラが少ない。つまり、アンテナ１０と比較すると、アンテナ１５では、表面に流れる電流値のバラツキが少なくなっている。
【００４３】
図７は、アンテナ１５のｙ−ｚ面における放射特性を示す図である。図７では、アンテナ１５が、５ＧＨｚ，５．５ＧＨｚ，６ＧＨｚと３つの異なる周波数の電波を放射する際の放射特性が示されている。アンテナ１５からの電波の強度は、９０°，２７０°において、若干低下しているが、全角度において略一定となっている。このため、図３で示したアンテナ１０の放射特性と比較すると、アンテナ１５は、特に、９０°、２７０°の放射特性が改善しており、良好な放射特性を有している。
【００４４】
図８は、アンテナ１５の放射利得とＶＳＷＲを示す図である。なお、図８においては、実線で示すアンテナ１５の放射利得に、点線で示すアンテナ１０の放射利得も加えている。アンテナ１０は、５．４ＧＨｚ付近で放射利得が低下していたが、アンテナ１５は、５〜６ＧＨｚの帯域において、放射利得が改善している。また、アンテナ１５のＶＳＷＲの値は、５〜６ＧＨｚの帯域において、２以下となっている。
【００４５】
−−−まとめ−−−
以上、本実施形態のアンテナ１５について説明した。ここで、アンテナ１０において、放射素子２１，２２の間隔を広げ、放射素子２１，２２で形成される容量を増加させるには、例えば、辺３０を伸ばし、辺３６，３７と、辺３０とを大きく離す必要がある。しかし、このような場合、放射素子２１，２２の面積が大きくなる。一方、アンテナ１５では、放射素子２６の二股状に分かれた放射部６１，６２のそれぞれに対応して、放射素子２７に、放射部８１，８２が設けられている。そして、放射部８１，８２は、先端に向かうにつれて、それぞれの放射部８１，８２と、放射素子２６との間隔が徐々に広くなる形状をしている。このようなアンテナ１５は、例えばアンテナ１０と比較すると、面積を小さくすることができる。さらに、アンテナ１５は、広い帯域において良好なＶＳＷＲを得つつ、放射利得の低下を防ぐことができる。
【００４６】
また、アンテナ１５の放射部８１からは、放射素子２６，２７の間隔Ｗを狭くする放射部８３が形成されている。これにより、例えば、仕様帯域（例えば、５〜６ＧＨｚ）より低い周波数（例えば、４ＧＨｚ）において、共振点を生成することができる。この結果、アンテナ１５では、広い帯域において、放射利得の低下を防ぐことができる。
【００４７】
また、放射部８３では、先端部の幅が、放射部８１側の端部の幅よりも狭くなっている。これにより、例えば、仕様帯域（例えば、５〜６ＧＨｚ）より、かなり低い周波数（例えば、３ＧＨｚ）において、共振点を生成することができる。この結果、例えば、図８に示すように、アンテナ１５では、広い帯域において、放射利得の低下を防ぐことができる。
【００４８】
また、放射素子２６には、放射部６１の端部から、放射素子２７とは反対側に延びる放射部６３が設けられている。これにより、放射素子２６のインピーダンス（放射部８１，８３に対応するパターンのインピーダンス）を増加させることができる。このため、このようなパターンを更に形成することにより、広い帯域において良好なＶＳＷＲを得ることができる。
【００４９】
また、アンテナ１５では、接続部６０の先端の辺７０と、接続部６０に対向する辺９０とが、略平行になっている。このため、アンテナ１５では、放射素子２６，２７のインピーダンスの急激な変化を抑制することができる。
【００５０】
なお、本実施形態で所定のパターンの「先端部」とは、所定のパターンの一番さきの部分のみならず、所定のパターンの一番さきから、例えば、所定のパターンの形状の中心付近の部分まで含む広い範囲であっても良い。
【００５１】
なお、上記実施例は本発明の理解を容易にするためのものであり、本発明を限定して解釈するためのものではない。本発明は、その趣旨を逸脱することなく、変更、改良され得ると共に、本発明にはその等価物も含まれる。
【００５２】
例えば、アンテナ１５で、３ＧＨｚの共振点を生成する必要がない場合、放射部８３は、Ｅ２点より延ばす必要はない。
【００５３】
例えば、放射部６３は、４ＧＨｚにおける共振点を生成する際のインダクタンスの調整に用いられる。しかしながら、４ＧＨｚの共振点を生成する必要がない場合は、放射部６３を設ける必要はない。
【符号の説明】
【００５４】
１０，１５  アンテナ
２０，２５  アンテナ基板
２１，２２，２６，２７  放射素子
３０，３５〜３７，７０〜７４，９０〜９２  辺
４０  凸部
６０，８０  接続部
６１〜６３，８０〜８３  放射部
１００  箇所
２００，２１０，２２０  領域
Ｐ１，Ｐ２，Ｑ１，Ｑ２  給電点
【図１】
2019022108.tif 000003
【図２】
2019022108.tif 000004
【図３】
2019022108.tif 000005
【図４】
2019022108.tif 000006
【図５】
2019022108.tif 000007
【図６】
2019022108.tif 000008
【図７】
2019022108.tif 000009
【図８】
2019022108.tif 000010